(57)【特許請求の範囲】
【請求項１】
多面付けする複数のホログラム原版を隙間なく整列して載置するための平面を有し、その平面の少なくとも各ホログラム原版のホログラムエリアに対応する位置に溝が設けられてなる治具上に、複数のホログラム原版を隙間なく整列して載置し、その複数のホログラム原版の裏面上に接着剤を塗布し、その上に基板を重ね合わせ、その接着剤を硬化させることにより作製されたことを特徴とするホログラム複製用多面付け原版の作製方法。
【請求項２】
前記基板上におもりを載せて均一の圧力を加えてから接着剤を硬化させることを特徴とする請求項１記載のホログラム複製用多面付け原版の作製方法。
【請求項３】
前記基板が透明ガラス基板からなり、前記接着剤が紫外線硬化型接着剤からなり、前記透明ガラス基板を通して紫外線を照射することにより前記接着剤を硬化させることを特徴とする請求項１又は２記載のホログラム複製用多面付け原版の作製方法。
【請求項４】
前記ホログラム原版が反射型ホログラムからなることを特徴とする請求項１から３の何れか１項記載のホログラム複製用原版の作製方法。
【請求項５】
前記ホログラム原版が透過型ホログラムからなることを特徴とする請求項１から３の何れか１項記載のホログラム複製用原版の作製方法。
【請求項６】
前記ホログラム原版が計算機ホログラムからなることを特徴とする請求項１から５の何れか１項記載のホログラム複製用原版の作製方法。
【請求項７】
前記ホログラム原版が体積型ホログラムからなることを特徴とする請求項１から５の何れか１項記載のホログラム複製用原版の作製方法。
【発明の詳細な説明】
【０００１】
【発明の属する技術分野】
本発明は、ホログラム複製用多面付け原版の作製方法に関し、特に、複数枚のホログラム原版を多面付けしてなるホログラム複製用原版の作製方法に関するものである。
【０００２】
【従来の技術】
従来、ホログラム複製用原版を用意し、その上あるいは下にホログラム感光材料を密着させ、感光材料側あるいは原版側から複製用の照明光を入射させることにより、そのホログラム原版から反射型あるいは透過型のホログラムを複製することが行われている。
【０００３】
図７に反射型ホログラムを複製するためのホログラム複製装置の概略の構成を示す。複製装置の機枠に支持台１１が固定されており、その上面にホログラム複製用原版１が支持固定される。また、複製装置にはフィルム状の感光材料を送り出す巻き出しロール１２と露光済みの感光材料を巻き取る巻き取りロール１３が設けられており、両ロール１２、１３間にフォトポリマー等の反射型ホログラム感光材料２が張り渡される。巻き出しロール１２から送り出される感光材料２の両側にはペット等のカバーフィルム３、４がラミネートされており、原版１の位置に達する前に、感光材料２の片側（下側）のカバーフィルム４は剥離され、剥離されたカバーフィルム４は巻き取りロール１４により巻き取られる。また、原版１の位置でホログラムが露光複製された感光材料２の露出面は、巻き取りロール１３で巻き取られる前に巻き出しロール１５から送り出されたカバーフィルム５で再びカバーされる。
【０００４】
カバーフィルム４が剥離された感光材料２はラミネートローラ１６でホログラム原版１に均一に密着された後、レーザー２０から発振されミラー２１を経てレンズ２２及び不図示のピンホールを経たレーザー光２３が感光材料２側からホログラム原版１に照明され、この入射光とホログラム原版１からの回折光とが密着された感光材料２中で干渉することによりホログラム原版１と同じ特性の反射型ホログラムが感光材料２中に複製される。多面付けされたホログラム原版１の１ピッチ分の露光後、感光材料２をホログラム原版１から剥離し、その感光材料２を１ピッチ分巻き取り側に送り、同様に工程を繰り返すことにより、ホログラム原版１から多数枚の反射型ホログラムが複製される。
【０００５】
図８に透過型ホログラムを複製するためのホログラム複製装置の概略の構成を示す。複製装置の機枠に支持台１７が固定されており、その上面にホログラム複製用原版１が支持固定される。この場合は、支持台１７の下からレーザー光２３が照明されるので、支持台１７は中央部に穴の開いた枠状のものか、少なくとも中央部に透明ガラスが嵌め込まれた形状のものである。その他、巻き出しロール１２、巻き取りロール１３、カバーフィルム巻き取りロール１４、カバーフィルム巻き出しロール１５、ラミネートローラ１６の配置構成は図７の場合と同様であるが、この場合の感光材料２は、フォトポリマー、フォトレジスト、銀塩感材、重クロム酸ゼラチン等の透過型ホログラム感光材料が使用される。
【０００６】
そして、カバーフィルム４が剥離された感光材料２がラミネートローラ１６でホログラム原版１に均一に密着された後、レーザー２０から発振されミラー２１を経てレンズ２２及び不図示のピンホールを経たレーザー光２３がホログラム原版１側から照明され、ホログラム原版１で回折されずに透過する光とホログラム原版１で回折された光とが密着された感光材料２中で干渉することによりホログラム原版１と同じ特性の透過型ホログラムが感光材料２中に複製され、図７の場合と同様の工程が繰り返され、ホログラム原版１から多数枚の透過型ホログラムが複製される。
【０００７】
【発明が解決しようとする課題】
ところで、上記のような配置でホログラムの複製を行う場合、複製効率を上げるために、ホログラム原版１としては同じ特性のホログラム原版を複数枚並列配置（多面付け）したものを用いるのが望ましい。その場合に、複数のホログラム原版を同一の平面に精密に並べて固定することが歩留りの向上のために必要である。
【０００８】
本発明は従来技術のこのような課題に対応するためになされたものであり、その目的は、複数枚のホログラム原版を精密にかつ傷つけることなく多面付けしてなるホログラム複製用多面付け原版の作製方法を提供することである。
【０００９】
【課題を解決するための手段】
上記目的を達成する本発明のホログラム複製用多面付け原版は、複数のホログラム原版が同一平面に並列配置固定されてなることを特徴とするものである。
【００１０】
この場合、同一基板上に前記の複数のホログラム原版が並列配置固定されてなるものとすることができる。
【００１１】
また、ホログラム原版としては、金属膜の計算機ホログラムパターンを有する振幅型ホログラムからなるもの、表面レリーフ型の計算機ホログラムパターンを有する位相型ホログラムからなるもの、あるいは、ホログラム複製法により複製されたホログラムからなるもの等、種々のタイプのホログラムを用いることができる。
【００１２】
本発明のホログラム複製用多面付け原版の作製方法は、多面付けする複数のホログラム原版を隙間なく整列して載置するための平面を有し、その平面の少なくとも各ホログラム原版のホログラムエリアに対応する位置に溝が設けられてなる治具上に、複数のホログラム原版を隙間なく整列して載置し、その複数のホログラム原版の裏面上に接着剤を塗布し、その上に基板を重ね合わせ、その接着剤を硬化させることにより作製されたことを特徴とする方法である。
【００１３】
この場合に、基板上におもりを載せて均一の圧力を加えてから接着剤を硬化させるようにすることが望ましい。
【００１４】
また、基板が透明ガラス基板からなり、接着剤が紫外線硬化型接着剤からなり、透明ガラス基板を通して紫外線を照射することにより接着剤を硬化させることが望ましい。
【００１５】
本発明のもう１つのホログラム複製用多面付け原版の作製方法は、多面付けする複数のホログラム原版を隙間なく整列して載置するための平面を有し、その平面の少なくとも各ホログラム原版のホログラムエリア外の領域に対応する位置に真空吸着穴が設けられてなるスピンナー用真空チャック上に、複数のホログラム原版を隙間なく整列して載置し、その複数のホログラム原版の裏面上に接着剤を塗布し、その上に基板を重ね合わせ、その後にそのスピンナー用真空チャックを回転させ、その接着剤を硬化させることにより作製されたことを特徴とする方法である。
【００１６】
この場合、基板が透明ガラス基板からなり、接着剤が紫外線硬化型接着剤からなり、透明ガラス基板を通して紫外線を照射することにより接着剤を硬化させることが望ましい。
【００１７】
また、ホログラム原版としては、反射型ホログラムあるいは透過型ホログラム何れでもよい。
【００１８】
また、ホログラム原版が計算機ホログラムあるいは体積型ホログラムの何れでもよい。
【００１９】
本発明においては、ホログラム複製用多面付け原版の全てのホログラム原版が同一平面に並列配置固定されてなるので、全てのホログラム原版が同一平面に正確に傷つくことなく位置し、一括して同じホログラム感光材料に密着してホログラム複製すると、全てのホログラム原版が正確に歩留り良く複製される。しかも、各ホログラム原版が基板上に固定されて一体になっているので、丈夫で長期に安定して使用できる。
【００２０】
【発明の実施の形態】
以下、本発明のホログラム複製用多面付け原版及びその作製方法の実施例について説明する。
【００２１】
図１と図２に第１の実施例のホログラム複製用多面付け原版の作製方法を示す。まず、図１（ａ）に断面図、図１（ｂ）に平面図を示すような治具３０を用意する。この治具３０は、その上面３１が精密に研磨され十分な平面度を有するように仕上げられ、後記する多面付けする各ホログラム原版４１のホログラムエリア４２が直接この上面３１に触れて傷むのを防止するための溝３２が上面３１に設けられる。溝３２の幅としては各ホログラム原版４１のホログラムエリア４２の幅よりやや大きいものとする。
【００２２】
一方、図１（ｃ）、図２（ａ）に示すように、多面付けするホログラム原版４１を全て同じ大きさに切断・加工する。ホログラム原版４１としては、ＣＧＨ（計算機ホログラム）、体積型ホログラム等種々のものがあるが、被写体から直接撮影されたもの、計算機から直接出力加工されたもの、あるいはそれらから複製により作製されたもの何れでもよい。
【００２３】
特に、計算機から直接出力加工されたホログラム原版４１としては、図３（ａ）に模式的な断面図を示すように、例えば特開平１１−６９１７号、特開平１１−２７１５３５号に開示されているように、透明基板６１上にＣｒからなる金属膜６２を設け、その上に電子線レジストを塗布し、フォトリソグラフィーの手法により例えばホログラムカラーフィルター用の干渉縞をそのレジストに電子線描画してパターニングし、レジストパターンの開口から露出した金属膜６２の部分をエッチング除去して振幅型の計算機ホログラムパターン６３を形成してなるものがある。また、図３（ｂ）に模式的な断面図を示すように、透明基板６１上に直接電子線レジストを塗布し、フォトリソグラフィーの手法により例えばホログラムカラーフィルター用の干渉縞をそのレジストに電子線描画してパターニングし、レジストパターンの開口から露出した透明基板６１表面を所定深さだけエッチング除去して溝６４を形成し、表面レリーフ型で位相型の計算機ホログラムパターン６５を形成してなるものがある。さらには、図３（ａ）あるいは（ｂ）のような計算機ホログラム、あるいは、被写体から直接撮影された透過型あるいは反射型ホログラムからホログラム複製法により複製して得られたホログラムをホログラム原版４１として用いてもよい。
【００２４】
図４（ａ）は、図３（ａ）あるいは（ｂ）のホログラム原版４１から本発明の多面付け用の別のホログラム原版４１（図４（ｂ））をホログラム複製法により複製する場合の配置を示す図であり、透明基板７１上にフォトポリマー等からなるホログラム感光材料層７２とその表面に保護層７３とを積層してなるホログラム乾板７４を用意し、図３（ａ）あるいは（ｂ）のホログラム原版４１のホログラムパターン６３（６５）とを密着させ、ホログラム原版４１の裏面側から複製用照明光８０を所定の角度で入射させる。ホログラムパターン６３（６５）から０次透過光８１と１次回折光８２が発生し、その１次回折光８２と０次透過光８１がホログラム乾板７４のホログラム感光材料層７２中で干渉してホログラム原版４１と同様の回折特性を有する透過型ホログラムがホログラム乾板７４中に複製される。その複製された別のホログラム原版４１の断面を図４（ｂ）に示す。ホログラム乾板７４のホログラム感光材料層７２がホログラム層７２’となっている。
【００２５】
図１、図２に戻って、このような治具３０上に複数の同じ大きさの上記の何れかのホログラム原版４１を、図１（ｃ）、図２（ｂ）に示すように、隙間なく並べる。この際、各ホログラム原版４１のホログラムエリア４２が溝３２の位置に整列するように並べる。また、ホログラム複製時にホログラム感光材料２（図７、図８）に密着させる面を下側（治具３０側）に向けて並べる。
【００２６】
その後、図２（ｃ）に示すように、並列に隙間なく並べた複数のホログラム原版４１の裏面上に紫外線硬化型接着剤４３を滴下し、次いで、図２（ｄ）に示すように、その上に平面度の良いガラス板４４を重ね合わせ、さらにその上におもり４５を載せて均一の圧力を加える。
【００２７】
その後、おもり４５を外して、ガラス板４４を通して紫外線４６を接着剤４３に照射して硬化させることにより、図２（ｅ）に示すような本発明による多面付けホログラム複製用多面付け原版１が完成する。
【００２８】
このように、多面付けする複数のホログラム原版４１を隙間なく整列して載置するための平面３１を有し、その平面３１の少なくとも各ホログラム原版４１のホログラムエリア４２に対応する位置に溝３２が設けられてなる治具３０上に、複数のホログラム原版４１を隙間なく整列して載置し、その複数のホログラム原版４１の裏面上に接着剤４３を塗布し、その上に基板４４を重ね合わせ、その接着剤４３を硬化させることにより作製するので、このホログラム複製用多面付け原版１の全てのホログラム原版４１は同一平面に傷つくことなく位置し、図７又は図８のような配置で一括して同じホログラム感光材料２に密着してホログラム複製すると、全てのホログラム原版が正確に歩留り良く複製される。しかも、各ホログラム原版４１が基板４４上に接着されて一体になっているので、丈夫で長期に安定して使用できる。
【００２９】
次に、図５と図６に本発明の第２の実施例のホログラム複製用多面付け原版の作製方法を示す。まず、図５（ａ）に断面図、図５（ｂ）に平面図を示すようなスピンナー用真空チャック５０を用意する。このスピンナー用真空チャック５０は、その上面５１が精密に研磨され十分な平面度を有するように仕上げられてなり、その上面５１に多面付けする各ホログラム原版４１のホログラムエリア４２に直接かからないように多数の真空吸着穴５２が配置されている。また、スピンナー用真空チャック５０の上面５１の周囲には、ガラス板支持用ピン５３が複数配置されている。そして、このスピンナー用真空チャック５０の裏面の回転軸５４に同軸に排気用穴５５が設けてあり、排気用穴５５は全ての真空吸着穴５２に連通している。
【００３０】
一方、図５（ｃ）、図６（ａ）に示すように、多面付けするホログラム原版４１を全て同じ大きさに切断・加工する。ホログラム原版４１としては、第１の実施例と同様に、ＣＧＨ、体積型ホログラム等種々のものがあるが、被写体から直接撮影されたもの、計算機から直接出力加工されたもの、あるいはそれらから複製により作製されたもの何れでもよい。
【００３１】
そして、このようなスピンナー用真空チャック５０の上面５１上に複数の同じ大きさのホログラム原版４１を、図５（ｃ）、図６（ｂ）に示すように、隙間なく並べ、真空吸着穴５２の吸着力により上面５１上に固定する。この際、各ホログラム原版４１のホログラムエリア４２が真空吸着穴５２の位置に位置しないように整列させる。また、ホログラム複製時にホログラム感光材料２（図７、図８）に密着させる面を下側（治具３０側）に向けて並べる。
【００３２】
その後、図６（ｃ）に示すように、並列に隙間なく並べた複数のホログラム原版４１の裏面上に紫外線硬化型接着剤４３を滴下し、次いで、図６（ｄ）に示すように、その上に平面度の良いガラス板４４をガラス板支持用ピン５３で位置決めさせて重ね合わせる。
【００３３】
この状態で、スピンナー用真空チャック５０を回転軸５４を中心に回転させ、接着剤４３を均一の厚さに伸ばす。その後、ガラス板４４を通して紫外線を接着剤４３に照射して硬化させることにより、図６（ｅ）に示すような本発明による多面付けホログラム複製用多面付け原版１が完成する。
【００３４】
この場合には、多面付けする複数のホログラム原版４１を隙間なく整列して載置するための平面５１を有し、その平面５１の少なくとも各ホログラム原版４１のホログラムエリア４２外の領域に対応する位置に真空吸着穴５２が設けられてなるスピンナー用真空チャック５０上に、複数のホログラム原版４１を隙間なく整列して載置し、その複数のホログラム原版４１の裏面上に接着剤４３を塗布し、その上に基板４４を重ね合わせ、スピンナー用真空チャック５０を回転させ、その接着剤４３を硬化させることにより作製するので、このホログラム複製用多面付け原版１の全てのホログラム原版４１は同一平面に傷つくことなく位置し、図７又は図８のような配置で一括して同じホログラム感光材料２に密着してホログラム複製すると、全てのホログラム原版が正確に歩留り良く複製される。しかも、各ホログラム原版４１が基板４４上に接着されて一体になっているので、丈夫で長期に安定して使用できる。
【００３５】
以上、本発明のホログラム複製用多面付け原版及びその作製方法を実施例に基づいて説明してきたが、本発明はこれら実施例に限定されず種々の変形が可能である。
【００３６】
【発明の効果】
以上の説明から明らかなように、本発明のホログラム複製用多面付け原版及びその作製方法によると、ホログラム複製用多面付け原版の全てのホログラム原版が同一平面に並列配置固定されてなるので、全てのホログラム原版が同一平面に正確に傷つくことなく位置し、一括して同じホログラム感光材料に密着してホログラム複製すると、全てのホログラム原版が正確に歩留り良く複製される。しかも、各ホログラム原版が基板上に固定されて一体になっているので、丈夫で長期に安定して使用できる。
【図面の簡単な説明】
【図１】本発明の第１実施例のホログラム複製用多面付け原版の作製方法を説明するための図である。
【図２】第１実施例のホログラム複製用多面付け原版の作製方法を説明するための別の図である。
【図３】計算機から直接出力加工されたホログラム原版の例を示す模式的な断面図である。
【図４】本発明の多面付け用のホログラム原版をホログラム複製法により複製する場合の配置とその配置によって得られるホログラム原版を示す図である。
【図５】本発明の第２実施例のホログラム複製用多面付け原版の作製方法を説明するための図である。
【図６】第２実施例のホログラム複製用多面付け原版の作製方法を説明するための別の図である。
【図７】反射型ホログラムを複製するためのホログラム複製装置の概略の構成を示す図である。
【図８】透過型ホログラムを複製するためのホログラム複製装置の概略の構成を示す図である。
【符号の説明】
１…ホログラム複製用多面付け原版
２…ホログラム感光材料
３０…治具
３１…上面
３２…溝
４１…ホログラム原版
４２…ホログラムエリア
４３…紫外線硬化型接着剤
４４…ガラス板
４５…おもり
４６…紫外線
５０…スピンナー用真空チャック
５１…上面
５２…真空吸着穴
５３…ガラス板支持用ピン
５４…回転軸
５５…排気用穴
６１…透明基板
６２…金属膜
６３…振幅型の計算機ホログラムパターン
６４…エッチング溝
６５…表面レリーフ型の計算機ホログラムパターン
７１…透明基板
７２…ホログラム感光材料層
７２’…ホログラム層
７３…保護層
７４…ホログラム乾板
８０…複製用照明光
８１…０次透過光
８２…１次回折光
【図１】
0004544492.tif 000002
【図２】
0004544492.tif 000003
【図３】
0004544492.tif 000004
【図４】
0004544492.tif 000005
【図５】
0004544492.tif 000006
【図６】
0004544492.tif 000007
【図７】
0004544492.tif 000008
【図８】
0004544492.tif 000009